(57)【要約】【課題】就労環境に関する情報をマッチング処理のキー情報とすることにより早期退職者数を低減することが可能な求人マッチングシステム、求人マッチング方法及び該方法を実行することが可能なコンピュータプログラムを提供する。【解決手段】雇用側企業の求人に関する条件を示す情報と、求人に応募する応募者の求める条件を示す情報とをマッチングする。雇用側企業の就労環境の特徴に関する情報を複数の特徴項目として記憶しておく。複数の特徴項目から一又は複数の特徴項目の選択を受け付け、選択を受け付けた特徴項目に基づいて、合致する雇用側企業を抽出し、抽出された雇用側企業を表示する。【選択図】図３
2019101617.tif 000002
【特許請求の範囲】
【請求項１】
雇用側企業の求人に関する条件を示す情報と、求人に応募する応募者の求める条件を示す情報とをマッチングする求人マッチングシステムにおいて、
雇用側企業の就労環境の特徴に関する情報を複数の特徴項目として記憶する求人情報記憶手段と、
前記複数の特徴項目から一又は複数の特徴項目の選択を受け付ける特徴項目選択受付手段と、
選択を受け付けた特徴項目に基づいて、合致する雇用側企業を抽出する抽出手段と、
抽出された雇用側企業を表示する結果表示手段と
を備えることを特徴とする求人マッチングシステム。
【請求項２】
前記雇用側企業の就労環境の特徴に関する情報は、他の従業員との人間関係構築に関連する情報であることを特徴とする請求項１に記載の求人マッチングシステム。
【請求項３】
前記求人情報記憶手段では、特徴項目ごとに特徴値の合致範囲を記憶しておき、
選択を受け付けた一又は複数の特徴項目それぞれについて、特徴値の入力を受け付ける特徴値受付手段を備え、
前記抽出手段は、入力を受け付けた特徴項目の特徴値が、すべて記憶されている合致範囲内である雇用側企業を抽出することを特徴とする請求項１又は２に記載の求人マッチングシステム。
【請求項４】
前記特徴値受付手段は、選択を受け付けた一又は複数の特徴項目のみを表示し、表示された特徴項目それぞれについて、特徴値の入力を受け付けることを特徴とする請求項３に記載の求人マッチングシステム。
【請求項５】
前記抽出手段は、入力を受け付けた特徴項目の特徴値が、すべて記憶されている合致範囲内である雇用側企業だけでなく、入力を受け付けた特徴項目の特徴値が、記憶されている合致範囲内である特徴項目の割合が高い順に一定の割合の雇用側企業まで抽出することを特徴とする請求項４に記載の求人マッチングシステム。
【請求項６】
雇用側企業の求人に関する条件を示す情報と、求人に応募する応募者の求める条件を示す情報とをマッチングするコンピュータで実行することが可能な求人マッチング方法において、
前記コンピュータは、
雇用側企業の就労環境の特徴に関する情報を複数の特徴項目として記憶する第一の工程と、
前記複数の特徴項目から一又は複数の特徴項目の選択を受け付ける第二の工程と、
選択を受け付けた特徴項目に基づいて、合致する雇用側企業を抽出する第三の工程と、
抽出された雇用側企業を表示する第四の工程と
を含むことを特徴とする求人マッチング方法。
【請求項７】
前記雇用側企業の就労環境の特徴に関する情報は、他の従業員との人間関係構築に関連する情報であることを特徴とする請求項６に記載の求人マッチング方法。
【請求項８】
前記第一の工程では、特徴項目ごとに特徴値の合致範囲を記憶し、
前記コンピュータは、
選択を受け付けた一又は複数の特徴項目それぞれについて、特徴値の入力を受け付ける第五の工程を含み、
前記第三の工程は、入力を受け付けた特徴項目の特徴値が、すべて記憶されている合致範囲内である雇用側企業を抽出することを特徴とする請求項６又は７に記載の求人マッチング方法。
【請求項９】
前記第五の工程は、選択を受け付けた一又は複数の特徴項目のみを表示し、表示された特徴項目それぞれについて、特徴値の入力を受け付けることを特徴とする請求項８に記載の求人マッチング方法。
【請求項１０】
前記第三の工程は、入力を受け付けた特徴項目の特徴値が、すべて記憶されている合致範囲内である雇用側企業だけでなく、入力を受け付けた特徴項目の特徴値が、記憶されている合致範囲内である特徴項目の割合が高い順に一定の割合の雇用側企業まで抽出することを特徴とする請求項９に記載の求人マッチング方法。
【請求項１１】
雇用側企業の求人に関する条件を示す情報と、求人に応募する応募者の求める条件を示す情報とをマッチングするコンピュータで実行することが可能なコンピュータプログラムにおいて、
前記コンピュータを、
雇用側企業の就労環境の特徴に関する情報を複数の特徴項目として記憶する求人情報記憶手段、
前記複数の特徴項目から一又は複数の特徴項目の選択を受け付ける特徴項目選択受付手段、
選択を受け付けた特徴項目に基づいて、合致する雇用側企業を抽出する抽出手段、及び
抽出された雇用側企業を表示する結果表示手段
として機能させることを特徴とするコンピュータプログラム。
【請求項１２】
前記雇用側企業の就労環境の特徴に関する情報は、他の従業員との人間関係構築に関連する情報であることを特徴とする請求項１１に記載のコンピュータプログラム。
【請求項１３】
前記求人情報記憶手段では、特徴項目ごとに特徴値の合致範囲を記憶しておき、
前記コンピュータを、選択を受け付けた一又は複数の特徴項目それぞれについて、特徴値の入力を受け付ける特徴値受付手段として機能させ、
前記抽出手段を、入力を受け付けた特徴項目の特徴値が、すべて記憶されている合致範囲内である雇用側企業を抽出する手段として機能させることを特徴とする請求項１１又は１２に記載のコンピュータプログラム。
【請求項１４】
前記特徴値受付手段を、選択を受け付けた一又は複数の特徴項目のみを表示し、表示された特徴項目それぞれについて、特徴値の入力を受け付ける手段として機能させることを特徴とする請求項１３に記載のコンピュータプログラム。
【請求項１５】
前記抽出手段を、入力を受け付けた特徴項目の特徴値が、すべて記憶されている合致範囲内である雇用側企業だけでなく、入力を受け付けた特徴項目の特徴値が、記憶されている合致範囲内である特徴項目の割合が高い順に一定の割合の雇用側企業まで抽出する手段として機能させることを特徴とする請求項１４に記載のコンピュータプログラム。
【発明の詳細な説明】
【技術分野】
【０００１】
本発明は、就職したものの短期間で退職に至ることを回避することが可能な求人マッチングシステム、求人マッチング方法及び該方法を実行することが可能なコンピュータプログラムに関する。
【背景技術】
【０００２】
昨今の求人・求職活動は、インターネットを利用した求人・求職システムを用いることが多い。従来の求人・求職システムでは、まず求人側企業が、運営会社のウェブサイトに企業会員として会員登録し、自社の企業情報を企業情報データベースに登録しておく。
【０００３】
求人に応募する求職者は、ウェブサイトに求職者として会員登録し、自己の氏名、年齢等の基本情報を求職者情報データベースに登録する。そして、ウェブサイト上において、企業会員が登録した企業情報を任意の検索項目で検索して閲覧し、エントリーシートを提出することにより就職活動を開始する。
【０００４】
しかし、ウェブサイト経由の場合、求職者の個性や能力を十分に読み取ることができず、ミスマッチが生じる確率が高まるおそれがある。そこで、ミスマッチを減少させるべく、様々な工夫が試みられている。
【０００５】
例えば、特許文献１では、求職者の情報と雇用企業の情報と仲介管理側の情報に基づいて、求職者と雇用企業との間でマッチング処理を行い、求職者の情報の中でスキル条件が原因でマッチングの未達成を生じた場合に求職者のスキルアップを図り、スキルアップ後の求職者の更新情報と雇用企業の情報とのマッチングを達成させるように構成したスキルアップ並びにマッチング処理方法が開示されている。
【先行技術文献】
【特許文献】
【０００６】
【特許文献１】特開２００４−２４０９２５号公報
【発明の概要】
【発明が解決しようとする課題】
【０００７】
特許文献１のようなマッチング処理では、求職者の個人情報及び活動スケジュールデータ、雇用企業の基本的な求人募集要綱を示す基本情報、雇用形態情報、インターン−正社員募集データ等が使用される。したがって、依然として、雇用企業側が応募する求職者の個性、能力を的確に読み取ることは困難であるという問題点は解消していない。
【０００８】
また、現在の採用市場において、いわゆる「良い会社」を判断することが困難になっている。応募者自身の価値観が多様化しているのに対して、雇用側企業は従前の雇用条件のみを開示していることから、条件のミスマッチの前に、雇用側企業が提供する情報と応募者が欲する情報との間にミスマッチが生じている。さらに、雇用側企業はあまり自社の情報を公開したがらない傾向にあるのに意欲ある応募者を求めている。一方、応募者は開示されている情報からは自分に合った職場であるか否かを判断することができないという情報の非対称性が顕在化している。応募者の早期退職の根源を絶つには、情報のミスマッチ及び非対称性を解消しておくことが重要となる。
【０００９】
本発明は斯かる事情に鑑みてなされたものであり、採用者の退職理由の多くが職場における人間関係を含む就労環境であることに着目し、就労環境に関する情報をマッチング処理のキー情報とすることにより早期退職者数を低減することが可能な求人マッチングシステム、求人マッチング方法及び該方法を実行することが可能なコンピュータプログラムを提供することを目的とする。
【課題を解決するための手段】
【００１０】
上記目的を達成するために第１発明に係る求人マッチングシステムは、雇用側企業の求人に関する条件を示す情報と、求人に応募する応募者の求める条件を示す情報とをマッチングする求人マッチングシステムにおいて、雇用側企業の就労環境の特徴に関する情報を複数の特徴項目として記憶する求人情報記憶手段と、前記複数の特徴項目から一又は複数の特徴項目の選択を受け付ける特徴項目選択受付手段と、選択を受け付けた特徴項目に基づいて、合致する雇用側企業を抽出する抽出手段と、抽出された雇用側企業を表示する結果表示手段とを備えることを特徴とする。
【００１１】
また、第２発明に係る求人マッチングシステムは、第１発明において、前記雇用側企業の就労環境の特徴に関する情報は、他の従業員との人間関係構築に関連する情報であることが好ましい。
【００１２】
また、第３発明に係る求人マッチングシステムは、第１又は第２発明において、前記求人情報記憶手段では、特徴項目ごとに特徴値の合致範囲を記憶しておき、選択を受け付けた一又は複数の特徴項目それぞれについて、特徴値の入力を受け付ける特徴値受付手段を備え、前記抽出手段は、入力を受け付けた特徴項目の特徴値が、すべて記憶されている合致範囲内である雇用側企業を抽出することが好ましい。
【００１３】
また、第４発明に係る求人マッチングシステムは、第３発明において、前記特徴値受付手段は、選択を受け付けた一又は複数の特徴項目のみを表示し、表示された特徴項目それぞれについて、特徴値の入力を受け付けることが好ましい。
【００１４】
また、第５発明に係る求人マッチングシステムは、第４発明において、前記抽出手段は、入力を受け付けた特徴項目の特徴値が、すべて記憶されている合致範囲内である雇用側企業だけでなく、入力を受け付けた特徴項目の特徴値が、記憶されている合致範囲内である特徴項目の割合が高い順に一定の割合の雇用側企業まで抽出することが好ましい。
【００１５】
次に、上記目的を達成するために第６発明に係る求人マッチング方法は、雇用側企業の求人に関する条件を示す情報と、求人に応募する応募者の求める条件を示す情報とをマッチングするコンピュータで実行することが可能な求人マッチング方法において、前記コンピュータは、雇用側企業の就労環境の特徴に関する情報を複数の特徴項目として記憶する第一の工程と、前記複数の特徴項目から一又は複数の特徴項目の選択を受け付ける第二の工程と、選択を受け付けた特徴項目に基づいて、合致する雇用側企業を抽出する第三の工程と、抽出された雇用側企業を表示する第四の工程とを含むことを特徴とする。
【００１６】
また、第７発明に係る求人マッチング方法は、第６発明において、前記雇用側企業の就労環境の特徴に関する情報は、他の従業員との人間関係構築に関連する情報であることが好ましい。
【００１７】
また、第８発明に係る求人マッチング方法は、第６又は第７発明において、前記第一の工程では、特徴項目ごとに特徴値の合致範囲を記憶し、前記コンピュータは、選択を受け付けた一又は複数の特徴項目それぞれについて、特徴値の入力を受け付ける第五の工程を含み、前記第三の工程は、入力を受け付けた特徴項目の特徴値が、すべて記憶されている合致範囲内である雇用側企業を抽出することが好ましい。
【００１８】
また、第９発明に係る求人マッチング方法は、第８発明において、前記第五の工程は、選択を受け付けた一又は複数の特徴項目のみを表示し、表示された特徴項目それぞれについて、特徴値の入力を受け付けることが好ましい。
【００１９】
また、第１０発明に係る求人マッチング方法は、第９発明において、前記第三の工程は、入力を受け付けた特徴項目の特徴値が、すべて記憶されている合致範囲内である雇用側企業だけでなく、入力を受け付けた特徴項目の特徴値が、記憶されている合致範囲内である特徴項目の割合が高い順に一定の割合の雇用側企業まで抽出することが好ましい。
【００２０】
次に、上記目的を達成するために第１１発明に係るコンピュータプログラムは、雇用側企業の求人に関する条件を示す情報と、求人に応募する応募者の求める条件を示す情報とをマッチングするコンピュータで実行することが可能なコンピュータプログラムにおいて、前記コンピュータを、雇用側企業の就労環境の特徴に関する情報を複数の特徴項目として記憶する求人情報記憶手段、前記複数の特徴項目から一又は複数の特徴項目の選択を受け付ける特徴項目選択受付手段、選択を受け付けた特徴項目に基づいて、合致する雇用側企業を抽出する抽出手段、及び抽出された雇用側企業を表示する結果表示手段として機能させることを特徴とする。
【００２１】
また、第１２発明に係るコンピュータプログラムは、第１１発明において、前記雇用側企業の就労環境の特徴に関する情報は、他の従業員との人間関係構築に関連する情報であることが好ましい。
【００２２】
また、第１３発明に係るコンピュータプログラムは、第１１又は第１２発明において、前記求人情報記憶手段では、特徴項目ごとに特徴値の合致範囲を記憶しておき、前記コンピュータを、選択を受け付けた一又は複数の特徴項目それぞれについて、特徴値の入力を受け付ける特徴値受付手段として機能させ、前記抽出手段を、入力を受け付けた特徴項目の特徴値が、すべて記憶されている合致範囲内である雇用側企業を抽出する手段として機能させることが好ましい。
【００２３】
また、第１４発明に係るコンピュータプログラムは、第１３発明において、前記特徴値受付手段を、選択を受け付けた一又は複数の特徴項目のみを表示し、表示された特徴項目それぞれについて、特徴値の入力を受け付ける手段として機能させることが好ましい。
【００２４】
また、第１５発明に係るコンピュータプログラムは、第１４発明において、前記抽出手段を、入力を受け付けた特徴項目の特徴値が、すべて記憶されている合致範囲内である雇用側企業だけでなく、入力を受け付けた特徴項目の特徴値が、記憶されている合致範囲内である特徴項目の割合が高い順に一定の割合の雇用側企業まで抽出する手段として機能させることが好ましい。
【００２５】
第１発明、第６発明及び第１１発明では、雇用側企業の就労環境の特徴に関する情報を複数の特徴項目として記憶しておき、複数の特徴項目から一又は複数の特徴項目の選択を受け付ける。選択を受け付けた特徴項目に基づいて、合致する雇用側企業を抽出して、抽出された雇用側企業を表示する。これにより、従来は給与や勤務時間、職種等の一般的な労働条件で雇用側企業と応募者とをマッチングしていたのを、実際に就労している環境に直結した特徴項目でマッチングするので、自分が働くときに妥協できない就労環境を維持することが可能な雇用側企業のみが抽出され、就労してからの退職理由の大半を占める周囲の人との価値観のズレを最小限に抑制することができ、早期退職の可能性を低減することが可能となる。
【００２６】
第２発明、第７発明及び第１２発明では、雇用側企業の就労環境の特徴に関する情報は、他の従業員との人間関係構築に関連する情報であるので、就労してからの退職理由の大半を占める周囲の人との価値観のズレを最小限に抑制することができ、早期退職の可能性を低減することが可能となる。
【００２７】
第３発明、第８発明及び第１３発明では、特徴項目ごとに特徴値の合致範囲を記憶しておき、選択を受け付けた一又は複数の特徴項目それぞれについて、特徴値の入力を受け付け、入力を受け付けた特徴項目の特徴値が、すべて記憶されている合致範囲内である雇用側企業を抽出することにより、自分が働くときに妥協できない環境をクリアしている雇用側企業のみが抽出され、就労してからの退職理由の大半を占める周囲の人との価値観のズレを最小限に抑制することができ、早期退職の可能性を低減することが可能となる。
【００２８】
第４発明、第９発明及び第１４発明では、選択を受け付けた一又は複数の特徴項目のみを表示し、表示された特徴項目それぞれについて、特徴値の入力を受け付けることにより、自分が働くときの就労環境の許容範囲を指定することができ、より柔軟に就労先候補となる雇用側企業を抽出することが可能となる。
【００２９】
第５発明、第１０発明及び第１５発明では、入力を受け付けた特徴項目の特徴値が、すべて記憶されている合致範囲内である雇用側企業だけでなく、入力を受け付けた特徴項目の特徴値が、記憶されている合致範囲内である特徴項目の割合が高い順に一定の割合の雇用側企業まで抽出することにより、自分が働くときの就労環境条件をすべて具備した雇用側企業だけでは抽出される企業数が少ない場合であっても、妥協すれば候補となりうる雇用側企業も含めて抽出することが可能となる。
【発明の効果】
【００３０】
本発明によれば、従来は給与や勤務時間、職種等の一般的な労働条件で雇用側企業と応募者とをマッチングしていたのを、実際に就労している環境に直結した特徴項目でマッチングするので、自分が働くときに妥協できない就労環境を維持することが可能な雇用側企業のみが抽出され、就労してからの退職理由の大半を占める周囲の人との価値観のズレを最小限に抑制することができ、早期退職の可能性を低減することが可能となる。
【図面の簡単な説明】
【００３１】
【図１】本発明の実施の形態１に係る求人マッチングシステムの構成を模式的に示すブロック図である。
【図２】本発明の実施の形態１に係る求人マッチングシステムのマッチングサーバの構成を示すブロック図である。
【図３】本発明の実施の形態１に係る求人マッチングシステムの端末装置の構成を示すブロック図である。
【図４】本発明の実施の形態１に係る求人マッチングシステムの機能ブロック図である。
【図５】本発明の実施の形態１に係る求人マッチングシステムの端末装置の特徴項目選択画面の例示図である。
【図６】本発明の実施の形態１に係る求人マッチングシステムの端末装置の特徴値入力画面の例示図である。
【図７】本発明の実施の形態１に係る求人マッチングシステムの端末装置の一覧表示画面の例示図である。
【図８】本発明の実施の形態１に係る求人マッチングシステムの端末装置のキープ画面の例示図である。
【図９】本発明の実施の形態１に係る求人マッチングシステムのマッチングサーバのＣＰＵのマッチング処理の流れを示すフローチャートである。
【図１０】本発明の実施の形態２に係る求人マッチングシステムの機能ブロック図である。
【図１１】本発明の実施の形態２に係る求人マッチングシステムの端末装置のＣＰＵのマッチング処理の流れを示すフローチャートである。
【発明を実施するための形態】
【００３２】
以下、本発明の実施の形態に係る求人マッチングシステムについて、図面に基づいて具体的に説明する。以下の実施の形態は、特許請求の範囲に記載された発明を限定するものではなく、実施の形態の中で説明されている特徴的事項の組み合わせの全てが解決手段の必須事項であるとは限らないことは言うまでもない。
【００３３】
また、本発明は多くの異なる態様にて実施することが可能であり、実施の形態の記載内容に限定して解釈されるべきものではない。実施の形態を通じて同じ要素には同一の符号を付している。
【００３４】
以下の実施の形態では、コンピュータシステムにコンピュータプログラムを導入した装置について説明するが、当業者であれば明らかな通り、本発明はその一部をコンピュータで実行することが可能なコンピュータプログラムとして実施することができる。したがって、本発明は、就労環境に関する情報をマッチング処理のキー情報とすることにより早期退職者数を低減することが可能な求人マッチングシステムというハードウェアとしての実施の形態、ソフトウェアとしての実施の形態、又はソフトウェアとハードウェアとの組み合わせの実施の形態をとることができる。コンピュータプログラムは、ハードディスク、ＤＶＤ、ＣＤ、光記憶装置、磁気記憶装置等の任意のコンピュータで読み取ることが可能な記録媒体に記録することができる。
【００３５】
本実施の形態により、従来は給与や勤務時間、職種等の一般的な労働条件で雇用側企業と応募者とをマッチングしていたのを、実際に就労している環境に直結した特徴項目でマッチングするので、応募者にとって働くときに妥協できない就労環境に関して、特に留意している雇用側企業のみが抽出され、就労してからの退職理由の大半を占める周囲の人との価値観のズレを最小限に抑制することができ、早期退職の可能性を低減することが可能となる。
【００３６】
（実施の形態１）
図１は、本発明の実施の形態１に係る求人マッチングシステムの構成を模式的に示すブロック図である。本実施の形態に係る求人マッチングシステムは、雇用側企業端末装置３から、従業員を募集する雇用側企業の特徴項目の入力を受け付ける。
【００３７】
例えば、従業員離職率の低さに自信のある企業であれば特徴項目「従業員離職率」を、あるいは喫煙率の低さに自信がある雇用側企業は特徴項目「喫煙率」を、という要領で特徴項目の入力を受け付ける。
【００３８】
もちろん、特徴項目だけでなく、特徴項目ごとの特徴値の入力を受け付けても良い。例えば従業員離職率がここ１０年間で０％から１０％で推移している雇用側企業であれば、特徴項目「従業員離職率」に対して特徴値「０〜１０％」の入力を受け付ける。あるいは喫煙率が０％である雇用側企業であれば、特徴項目「喫煙率」に対して特徴値「０％」の入力を受け付ける。
【００３９】
入力を受け付けた特徴項目（及び特徴値）は、マッチングサーバ１へインターネット等のネットワーク網２を介して送信され、マッチングサーバ１内に雇用側企業を識別する情報とともに記憶される。
【００４０】
応募者が有する端末装置４は、応募者が就労した場合に妥協できない就労環境に関する情報の入力を受け付ける。例えば喫煙者がいることに強い抵抗がある応募者である場合、特徴項目「喫煙率」の入力を受け付ける。もちろん、特徴値も雇用側企業の抽出条件である場合には、特徴値「０％」の入力を受け付けても良い。
【００４１】
端末装置４は、入力を受け付けた特徴項目（及び特徴値）をマッチングサーバ１へネットワーク網２を介して送信し、マッチングサーバ１は、記憶されている雇用側企業の情報を検索して、雇用側企業を抽出する。抽出された雇用側企業のリストを端末装置４に送信することで、応募者は、雇用側企業のリストを見ながら応募する雇用側企業を決定することができる。
【００４２】
なお、本実施の形態１では、マッチングサーバ１をＷｅｂサーバとして機能させ、すべての処理はマッチングサーバ１内で実行させる場合について説明しているが、特にこれに限定されるものではない。例えば、実施の形態２では、マッチングサーバ１をデータサーバとしてのみ使用し、抽出プログラムは応募者が有するスマートフォンのような携帯型の端末装置４にダウンロードして実行させている。
【００４３】
図２は、本発明の実施の形態１に係る求人マッチングシステムのマッチングサーバ１の構成を示すブロック図である。本実施の形態に係るマッチングサーバ１は、少なくともＣＰＵ（中央演算装置）１１、メモリ１２、記憶装置１３、Ｉ／Ｏインタフェース１４、ビデオインタフェース１５、可搬型ディスクドライブ１６、通信インタフェース１７及び上述したハードウェアを接続する内部バス１８で構成されている。
【００４４】
ＣＰＵ１１は、内部バス１８を介してマッチングサーバ１の上述したようなハードウェア各部と接続されており、上述したハードウェア各部の動作を制御するとともに、記憶装置１３に記憶されたコンピュータプログラム１００に従って、種々のソフトウェア的機能を実行する。メモリ１２は、ＳＲＡＭ、ＳＤＲＡＭ等の揮発性メモリで構成され、コンピュータプログラム１００の実行時にロードモジュールが展開され、コンピュータプログラム１００の実行時に発生する一時的なデータ等を記憶する。
【００４５】
記憶装置１３は、内蔵される固定型記憶装置（ハードディスク）、ＲＯＭ等で構成されている。記憶装置１３に記憶されたコンピュータプログラム１００は、プログラム及びデータ等の情報を記録したＤＶＤ、ＣＤ−ＲＯＭ等の可搬型記録媒体９０から、可搬型ディスクドライブ１６によりダウンロードされ、実行時には記憶装置１３からメモリ１２へ展開して実行される。もちろん、通信インタフェース１７を介して接続されている外部コンピュータからダウンロードされたコンピュータプログラムであっても良い。
【００４６】
記憶装置１３は、雇用側企業が入力した情報を記憶する求人データ記憶部１３１を備えている。求人データ記憶部１３１は、雇用側企業を識別する識別情報に対応付けて、雇用側企業の就労環境の特徴に関する情報である複数の特徴項目、及び特徴項目ごとの特徴値を記憶する。もちろん、雇用側企業に関する情報についても、雇用側企業を識別する情報に対応付けて記憶する。
【００４７】
通信インタフェース１７は内部バス１８に接続されており、インターネット、ＬＡＮ、ＷＡＮ等の外部のネットワーク網２に接続されることにより、雇用側企業端末装置３、端末装置４等とデータ通信を行うことが可能となっている。本実施の形態では、端末装置４にブラウザをインストールしておき、インターネット経由でマッチングサーバ１とデータ通信する。
【００４８】
Ｉ／Ｏインタフェース１４は、キーボード２１、マウス２２等の入力装置と接続され、設定データ、メンテナンス用データ等の入力を受け付ける。ビデオインタフェース１５は、ＣＲＴディスプレイ、液晶ディスプレイ等の表示装置２３と接続され、設定やメンテナンスに伴う所定の画像を表示する。
【００４９】
図３は、本発明の実施の形態１に係る求人マッチングシステムの端末装置４の構成を示すブロック図である。本実施の形態に係る端末装置４は、スマートフォン等の携帯型の端末装置を想定している。端末装置４は、少なくともＣＰＵ（中央演算装置）４１、メモリ４２、記憶装置４３、入力部４４、通信インタフェース４５、表示部４６及び上述したハードウェアを接続する内部バス４７で構成されている。
【００５０】
ＣＰＵ４１は、内部バス４７を介して端末装置４の上述したようなハードウェア各部と接続されており、上述したハードウェア各部の動作を制御するとともに、記憶装置４３に記憶されたコンピュータプログラム１１０に従って、種々のソフトウェア的機能を実行する。メモリ４２は、ＳＲＡＭ、ＳＤＲＡＭ等の揮発性メモリで構成され、コンピュータプログラム１１０の実行時にロードモジュールが展開され、コンピュータプログラム１１０の実行時に発生する一時的なデータ等を記憶する。
【００５１】
記憶装置４３は、内蔵される固定型記憶装置（ハードディスク）、ＲＯＭ、あるいは着脱可能な外部メモリ等で構成されている。記憶装置４３に記憶されたコンピュータプログラム１１０は、通信インタフェース４５を介して接続されている外部コンピュータからダウンロードされたコンピュータプログラムであり、実行時には記憶装置４３からメモリ４２へ展開して実行される。
【００５２】
通信インタフェース４５は内部バス４７に接続されており、インターネット、ＬＡＮ、ＷＡＮ等の外部のネットワーク網２に接続されることにより、端末装置４等とデータ通信を行うことが可能となっている。
【００５３】
応募者は、入力部４４を介してデータの入出力を行い、液晶ディスプレイ等の表示部４６に結果を表示する。もちろん、表示部４６がタッチディスプレイで構成され、入力部４４と兼用となっていても良い。
【００５４】
図４は、本発明の実施の形態１に係る求人マッチングシステムの機能ブロック図である。図４において、求人マッチングシステムの雇用側企業端末装置３の求人情報入力受付部３０１は、求人情報として特徴項目（及び特徴値）の入力を受け付ける。本実施の形態１が従来の求人マッチングシステムと相違するのは、職種や給与、休日等を含む情報の入力だけを受け付けるのではなく、これらの従前の情報に加えて応募者が就労した場合の就労環境に関する情報についても入力を受け付ける点にある。これにより、就労環境として条件を満たしている企業を優先的に抽出することができる。
【００５５】
求人情報送信部３０２は、雇用側企業端末装置３で入力を受け付けた特徴項目（及び特徴値）を雇用側企業を識別する識別情報及び雇用側企業に関する情報とともにマッチングサーバ１へ送信する。マッチングサーバ１の求人情報受信部１０１は、特徴項目（及び特徴値）、識別情報及び雇用側企業に関する情報を受信する。求人情報登録部１０２は、受信した特徴項目（及び特徴値）、識別情報及び雇用側企業に関する情報を求人データとして求人データ記憶部１３１に記憶する。
【００５６】
端末装置４の特徴項目選択受付部４０１は、端末装置４を使用している応募者が就労した場合に妥協することができない就労環境に関する情報として、特徴項目の選択を受け付ける。図５は、本発明の実施の形態１に係る求人マッチングシステムの端末装置４の特徴項目選択画面の例示図である。
【００５７】
図５に示すように、特徴項目（フィーリング項目）ごとに固有のアイコンが一覧表示されている。応募者が、妥協することができない特徴項目のアイコンを選択することにより、選択されたアイコンが反転表示されるとともにアイコンの右上にチェックマーク「レ」印が表示される。これにより、応募者が就労環境として妥協することができない雇用側企業の特徴に関する情報である特徴項目を選択することができる。
【００５８】
選択が完了した状態で「ＯＫ」ボタン５１を選択することで、特徴項目をキー情報として雇用側企業を抽出する。特徴項目ごとに特徴値の入力が必要な場合、「ＯＫ」ボタン５１を選択することで、特徴値の入力を受け付ける特徴値入力画面へと遷移する。
【００５９】
図４に戻って、特徴項目送信部４０２は、選択を受け付けた特徴項目を、端末装置４を識別する識別情報とともにマッチングサーバ１へ送信する。端末装置４を識別する情報としては、端末装置４を使用している応募者を識別する応募者ＩＤ、端末ＩＤ、ＭＡＣアドレス、ＩＰアドレス等が想定される。
【００６０】
もちろん、特徴項目ごとに特徴値の入力を受け付けても良い。特徴値受付部４０３は、選択を受け付けた特徴項目について特徴値の入力を受け付ける。特徴値の入力は、キーボード２１等からキーインで直接入力を受け付けても良いし、スライダマーク等を用いて連続的に特徴値を変更できるようにしても良い。
【００６１】
図６は、本発明の実施の形態１に係る求人マッチングシステムの端末装置４の特徴値入力画面の例示図である。図６では、選択を受け付けた特徴項目ごとにスライダマークを表示し、応募者は画面上のスライダマークをマウス２２等で操作することで、特徴値を変動させることができる。
【００６２】
また、この画面から図５に示す特徴項目選択画面へ戻ることもできる。具体的には、「他の項目も見てみる」ボタン６１を選択することで、図５に示す特徴項目選択画面に戻ることができる。特徴値の入力が完了した時点で、「検索する」ボタン６２を選択することで、特徴項目及び特徴値をキー情報として雇用側企業を抽出する。
【００６３】
図４に戻って、マッチングサーバ１の特徴項目受信部１０３は、端末装置４から、選択を受け付けた特徴項目及び端末装置４を識別する識別情報を受信する。雇用側企業抽出部１０４は、特徴項目（及び特徴値）をキー情報として、求人データ記憶部１３１を検索する。そして、記憶されている特徴項目が一致し、特徴値が記憶されている範囲内にある雇用側企業を識別する識別情報及び雇用側企業に関する情報を抽出する。
【００６４】
抽出結果送信部１０５は、抽出された雇用側企業に関する情報を、識別情報を受信した端末装置４へ送信する。端末装置４の抽出結果受信部４０４は、抽出された雇用側企業に関する情報を受信し、結果表示部４０５は、受信した雇用側企業に関する情報を一覧表示する。
【００６５】
なお、特徴項目送信部４０２の処理以降、抽出結果受信部４０４までの処理をまとめて抽出処理と考えても良い。端末装置４を使用している応募者にとっては抽出結果を得ることができれば良いからである。
【００６６】
図７は、本発明の実施の形態１に係る求人マッチングシステムの端末装置４の一覧表示画面の例示図である。図７に示すように、抽出された雇用側企業名が、企業の説明とともに一覧表示される。表示されている企業のことを詳細に知りたい場合には「詳しく知る」ボタン７１を選択することで、雇用側企業について詳細な情報を表示する画面へと遷移する。
【００６７】
なお、雇用側企業へ連絡を取り、最終的に求人に応募した場合、雇用側企業の担当者が「応募済み」である旨の情報を雇用側企業端末装置３から入力する。入力された「応募済み」である旨の情報はマッチングサーバ１へ送信され、マッチングサーバ１の記憶装置１３の求人データ記憶部１３１に、端末装置４を識別する識別情報ともに「応募済み」であるというステータス情報が記憶される。
【００６８】
これにより、応募者の特徴項目及び特徴値をキー情報とする抽出処理によって、ステータス情報が「応募済み」である雇用側企業については、「応募済」ボタン７２が表示され、それ以上の操作を受け付けないようになっている。
【００６９】
また、一度抽出した雇用側企業の情報は、一定時間だけ一定数一時記憶しておくことが好ましい。何度も抽出しなおすのは操作が煩雑だからである。図８は、本発明の実施の形態１に係る求人マッチングシステムの端末装置４のキープ画面の例示図である。
【００７０】
キープ画面とは、一時的に記憶されている雇用側企業に関する情報を表示する画面であり、図８の例では５件ずつ表示している。「すべてのキープへ」ボタン８１を選択することで、図７と同様の一覧表示画面へと遷移する。
【００７１】
図９は、本発明の実施の形態１に係る求人マッチングシステムのマッチングサーバ１のＣＰＵ１１のマッチング処理の流れを示すフローチャートである。マッチングサーバ１のＣＰＵ１１は、特徴項目（及び特徴項目ごとの特徴値）を、端末装置４を識別する識別情報とともに端末装置４から受信する（ステップＳ９０１）。ＣＰＵ１１は、求人データ記憶部１３１を検索して、特徴項目（及び特徴値）に合致する雇用側企業を抽出する（ステップＳ９０２）。
【００７２】
ＣＰＵ１１は、抽出した雇用側企業に関する情報を読み出し（ステップＳ９０３）、雇用側企業に関する情報を、特徴項目（及び特徴値）を受信した端末装置４を識別する識別情報に対応する端末装置４へ送信する（ステップＳ９０４）。雇用側企業に関する情報を受信した端末装置４は、一覧表示等をすることにより、応募者による求人への応募を促進する。
【００７３】
以上のように本実施の形態１によれば、従来は給与や勤務時間、職種等の一般的な労働条件で雇用側企業と応募者とをマッチングしていたのを、実際に就労している環境に直結した特徴項目（及び特徴項目ごとの特徴値）でマッチングするので、応募者にとって働くときに妥協できない就労環境に関して、特に留意している雇用側企業のみが抽出され、就労してからの退職理由の大半を占める周囲の人との価値観のズレを最小限に抑制することができ、早期退職の可能性を低減することが可能となる。
【００７４】
（実施の形態２）
本発明の実施の形態２に係る求人マッチングシステムの構成及び求人マッチングシステムを構成するハードウェアであるマッチングサーバ１、端末装置４の構成は、実施の形態１と同様であることから、同一の符号を付することにより詳細な説明を省略する。本実施の形態２は、端末装置４にコンピュータプログラムをダウンロードして実行する点において実施の形態１とは相違する。
【００７５】
図１０は、本発明の実施の形態２に係る求人マッチングシステムの機能ブロック図である。図１０では、求人マッチングシステムの雇用側企業端末装置３から、既に特徴項目（及び特徴値）、識別情報及び雇用側企業に関する情報が、求人データとして求人データ記憶部１３１に記憶されていることを前提としている。
【００７６】
端末装置４の特徴項目選択受付部４１１は、端末装置４を使用している応募者が就労した場合に妥協することができない就労環境に関する情報として、特徴項目の選択を受け付ける。もちろん、特徴項目ごとに特徴値の入力を受け付けても良い。特徴値受付部４１２は、選択を受け付けた特徴項目について特徴値の入力を受け付ける。特徴値の入力は、キーインで直接入力を受け付けても良いし、スライダマーク等を用いて連続的に特徴値を変更できるようにしても良い。
【００７７】
雇用側企業抽出部４１３は、特徴項目（及び特徴値）をキー情報として、求人データ記憶部１３１を検索する。そして、記憶されている特徴項目が一致し、特徴値が記憶されている範囲内にある雇用側企業を識別する識別情報及び雇用側企業に関する情報を抽出する。結果表示部４１４は、受信した雇用側企業に関する情報を一覧表示する。
【００７８】
図１１は、本発明の実施の形態２に係る求人マッチングシステムの端末装置４のＣＰＵ４１のマッチング処理の流れを示すフローチャートである。端末装置４のＣＰＵ４１は、特徴項目の選択を受け付ける（ステップＳ１１０１）。ＣＰＵ４１は、選択を受け付けた特徴項目ごとに特徴値の入力を受け付ける（ステップＳ１１０２）。
【００７９】
ＣＰＵ４１は、求人データ記憶部１３１を検索して、特徴項目（及び特徴値）に合致する雇用側企業を抽出する（ステップＳ１１０３）。ＣＰＵ４１は、抽出した雇用側企業に関する情報を読み出し（ステップＳ１１０４）、雇用側企業に関する情報を一覧表示する（ステップＳ１１０５）。これにより、応募者による求人への応募を促進する。
【００８０】
以上のように本実施の形態２によれば、従来は給与や勤務時間、職種等の一般的な労働条件で雇用側企業と応募者とをマッチングしていたのを、実際に就労している環境に直結した特徴項目（及び特徴項目ごとの特徴値）でマッチングするので、応募者にとって働くときに妥協できない就労環境に関して、特に留意している雇用側企業のみが抽出され、就労してからの退職理由の大半を占める周囲の人との価値観のズレを最小限に抑制することができ、早期退職の可能性を低減することが可能となる。
【００８１】
なお、本発明は上記実施例に限定されるものではなく、本発明の趣旨の範囲内であれば多種の変更、改良等が可能である。例えば上述した実施の形態１及び２では、端末装置４を介して応募者が入力した特徴項目（及び特徴値）をキー情報として、すべて一致している雇用側企業のみ抽出しているが、特にそれに限定されるものではない。
【００８２】
例えば、応募者が特徴項目を５個選択したと仮定して、４個の特徴項目については一致するものの１個だけ一致しない場合には、当該雇用側企業は抽出されない。しかし、そもそも雇用側企業の抽出数が極端に少ないときには、今一度初めから選択を繰り返す必要がある。
【００８３】
かかる手順の煩雑さを少しでも解消するべく、４個の特徴項目については一致するものの１個だけ一致しない場合にも、当該雇用側企業を抽出し、どの特徴項目が一致していないかを表示する。これにより、一致していない特徴項目が妥協できる範囲であれば、表示されている雇用側企業の中から応募先を特定することができ、求人マッチングを再度実行する必要がなくなる。
【００８４】
もちろん、入力を受け付けた特徴項目の特徴値が、記憶されている合致範囲内である特徴項目の割合が高い順に抽出された雇用側企業を表示することが好ましい。妥協するべき就労環境が少ない順に応募を検討することができるからである。
【００８５】
また、マッチングサーバ１に記憶装置１３を設けているが、これに限定されるものではなく、クラウド環境であっても良いし、ＶＭ（Ｖｉｒｔｕａｌ  Ｍａｃｈｉｎｅ）のように仮想化技術を用いても良いことは言うまでもない。
【符号の説明】
【００８６】
１  マッチングサーバ
２  ネットワーク網
３  雇用側企業端末装置
４  端末装置
１１、４１  ＣＰＵ
１２、４２  メモリ
１３、４３  記憶装置
１４  Ｉ／Ｏインタフェース
１５  ビデオインタフェース
１６  可搬型ディスクドライブ
１７、４５  通信インタフェース
１８、４７  内部バス
４４  入力部
４６  表示部
９０  可搬型記録媒体
１００、１１０  コンピュータプログラム
【図１】
2019101617.tif 000003
【図２】
2019101617.tif 000004
【図３】
2019101617.tif 000005
【図４】
2019101617.tif 000006
【図５】
2019101617.tif 000007
【図６】
2019101617.tif 000008
【図７】
2019101617.tif 000009
【図８】
2019101617.tif 000010
【図９】
2019101617.tif 000011
【図１０】
2019101617.tif 000012
【図１１】
2019101617.tif 000013
【手続補正書】
【提出日】平成30年6月19日(2018.6.19)
【手続補正１】
【補正対象書類名】明細書
【補正対象項目名】００１０
【補正方法】変更
【補正の内容】
【００１０】
上記目的を達成するために第１発明に係る求人マッチングシステムは、雇用側企業の求人に関する条件を示す情報と、求人に応募する応募者の求める条件を示す情報とをマッチングする求人マッチングシステムにおいて、雇用側企業の職場における人間関係を含む就労環境の特徴に関する情報を複数の特徴項目として記憶する求人情報記憶手段と、前記複数の特徴項目から一又は複数の特徴項目の選択を受け付ける特徴項目選択受付手段と、選択を受け付けた特徴項目に基づいて、合致する雇用側企業を抽出する抽出手段と、抽出された雇用側企業を表示する結果表示手段とを備えることを特徴とする。
【手続補正２】
【補正対象書類名】明細書
【補正対象項目名】００１１
【補正方法】変更
【補正の内容】
【００１１】
また、第２発明に係る求人マッチングシステムは、第１発明において、前記雇用側企業の職場における人間関係を含む就労環境の特徴に関する情報は、少なくとも子育て率、飲み会の回数、再入社した社員数を含む他の従業員との人間関係構築に関連する情報であることが好ましい。
【手続補正３】
【補正対象書類名】明細書
【補正対象項目名】００１５
【補正方法】変更
【補正の内容】
【００１５】
次に、上記目的を達成するために第６発明に係る求人マッチング方法は、雇用側企業の求人に関する条件を示す情報と、求人に応募する応募者の求める条件を示す情報とをマッチングするコンピュータで実行することが可能な求人マッチング方法において、前記コンピュータは、雇用側企業の職場における人間関係を含む就労環境の特徴に関する情報を複数の特徴項目として記憶する第一の工程と、前記複数の特徴項目から一又は複数の特徴項目の選択を受け付ける第二の工程と、選択を受け付けた特徴項目に基づいて、合致する雇用側企業を抽出する第三の工程と、抽出された雇用側企業を表示する第四の工程とを含むことを特徴とする。
【手続補正４】
【補正対象書類名】明細書
【補正対象項目名】００１６
【補正方法】変更
【補正の内容】
【００１６】
また、第７発明に係る求人マッチング方法は、第６発明において、前記雇用側企業の職場における人間関係を含む就労環境の特徴に関する情報は、少なくとも子育て率、飲み会の回数、再入社した社員数を含む他の従業員との人間関係構築に関連する情報であることが好ましい。
【手続補正５】
【補正対象書類名】明細書
【補正対象項目名】００２０
【補正方法】変更
【補正の内容】
【００２０】
次に、上記目的を達成するために第１１発明に係るコンピュータプログラムは、雇用側企業の求人に関する条件を示す情報と、求人に応募する応募者の求める条件を示す情報とをマッチングするコンピュータで実行することが可能なコンピュータプログラムにおいて、前記コンピュータを、雇用側企業の職場における人間関係を含む就労環境の特徴に関する情報を複数の特徴項目として記憶する求人情報記憶手段、前記複数の特徴項目から一又は複数の特徴項目の選択を受け付ける特徴項目選択受付手段、選択を受け付けた特徴項目に基づいて、合致する雇用側企業を抽出する抽出手段、及び抽出された雇用側企業を表示する結果表示手段として機能させることを特徴とする。
【手続補正６】
【補正対象書類名】明細書
【補正対象項目名】００２１
【補正方法】変更
【補正の内容】
【００２１】
また、第１２発明に係るコンピュータプログラムは、第１１発明において、前記雇用側企業の職場における人間関係を含む就労環境の特徴に関する情報は、少なくとも子育て率、飲み会の回数、再入社した社員数を含む他の従業員との人間関係構築に関連する情報であることが好ましい。
【手続補正７】
【補正対象書類名】明細書
【補正対象項目名】００２５
【補正方法】変更
【補正の内容】
【００２５】
第１発明、第６発明及び第１１発明では、雇用側企業の職場における人間関係を含む就労環境の特徴に関する情報を複数の特徴項目として記憶しておき、複数の特徴項目から一又は複数の特徴項目の選択を受け付ける。選択を受け付けた特徴項目に基づいて、合致する雇用側企業を抽出して、抽出された雇用側企業を表示する。これにより、従来は給与や勤務時間、職種等の一般的な労働条件で雇用側企業と応募者とをマッチングしていたのを、実際に就労している環境に直結した特徴項目でマッチングするので、自分が働くときに妥協できない就労環境を維持することが可能な雇用側企業のみが抽出され、就労してからの退職理由の大半を占める周囲の人との価値観のズレを最小限に抑制することができ、早期退職の可能性を低減することが可能となる。
【手続補正８】
【補正対象書類名】明細書
【補正対象項目名】００２６
【補正方法】変更
【補正の内容】
【００２６】
第２発明、第７発明及び第１２発明では、雇用側企業の職場における人間関係を含む就労環境の特徴に関する情報は、少なくとも子育て率、飲み会の回数、再入社した社員数を含む他の従業員との人間関係構築に関連する情報であるので、就労してからの退職理由の大半を占める周囲の人との価値観のズレを最小限に抑制することができ、早期退職の可能性を低減することが可能となる。
【手続補正９】
【補正対象書類名】特許請求の範囲
【補正対象項目名】全文
【補正方法】変更
【補正の内容】
【特許請求の範囲】
【請求項１】
雇用側企業の求人に関する条件を示す情報と、求人に応募する応募者の求める条件を示す情報とをマッチングする求人マッチングシステムにおいて、
雇用側企業の職場における人間関係を含む就労環境の特徴に関する情報を複数の特徴項目として記憶する求人情報記憶手段と、
前記複数の特徴項目から一又は複数の特徴項目の選択を受け付ける特徴項目選択受付手段と、
選択を受け付けた特徴項目に基づいて、合致する雇用側企業を抽出する抽出手段と、
抽出された雇用側企業を表示する結果表示手段と
を備えることを特徴とする求人マッチングシステム。
【請求項２】
前記雇用側企業の職場における人間関係を含む就労環境の特徴に関する情報は、少なくとも子育て率、飲み会の回数、再入社した社員数を含む他の従業員との人間関係構築に関連する情報であることを特徴とする請求項１に記載の求人マッチングシステム。
【請求項３】
前記求人情報記憶手段では、特徴項目ごとに特徴値の合致範囲を記憶しておき、
選択を受け付けた一又は複数の特徴項目それぞれについて、特徴値の入力を受け付ける特徴値受付手段を備え、
前記抽出手段は、入力を受け付けた特徴項目の特徴値が、すべて記憶されている合致範囲内である雇用側企業を抽出することを特徴とする請求項１又は２に記載の求人マッチングシステム。
【請求項４】
前記特徴値受付手段は、選択を受け付けた一又は複数の特徴項目のみを表示し、表示された特徴項目それぞれについて、特徴値の入力を受け付けることを特徴とする請求項３に記載の求人マッチングシステム。
【請求項５】
前記抽出手段は、入力を受け付けた特徴項目の特徴値が、すべて記憶されている合致範囲内である雇用側企業だけでなく、入力を受け付けた特徴項目の特徴値が、記憶されている合致範囲内である特徴項目の割合が高い順に一定の割合の雇用側企業まで抽出することを特徴とする請求項４に記載の求人マッチングシステム。
【請求項６】
雇用側企業の求人に関する条件を示す情報と、求人に応募する応募者の求める条件を示す情報とをマッチングするコンピュータで実行することが可能な求人マッチング方法において、
前記コンピュータは、
雇用側企業の職場における人間関係を含む就労環境の特徴に関する情報を複数の特徴項目として記憶する第一の工程と、
前記複数の特徴項目から一又は複数の特徴項目の選択を受け付ける第二の工程と、
選択を受け付けた特徴項目に基づいて、合致する雇用側企業を抽出する第三の工程と、
抽出された雇用側企業を表示する第四の工程と
を含むことを特徴とする求人マッチング方法。
【請求項７】
前記雇用側企業の職場における人間関係を含む就労環境の特徴に関する情報は、少なくとも子育て率、飲み会の回数、再入社した社員数を含む他の従業員との人間関係構築に関連する情報であることを特徴とする請求項６に記載の求人マッチング方法。
【請求項８】
前記第一の工程では、特徴項目ごとに特徴値の合致範囲を記憶し、
前記コンピュータは、
選択を受け付けた一又は複数の特徴項目それぞれについて、特徴値の入力を受け付ける第五の工程を含み、
前記第三の工程は、入力を受け付けた特徴項目の特徴値が、すべて記憶されている合致範囲内である雇用側企業を抽出することを特徴とする請求項６又は７に記載の求人マッチング方法。
【請求項９】
前記第五の工程は、選択を受け付けた一又は複数の特徴項目のみを表示し、表示された特徴項目それぞれについて、特徴値の入力を受け付けることを特徴とする請求項８に記載の求人マッチング方法。
【請求項１０】
前記第三の工程は、入力を受け付けた特徴項目の特徴値が、すべて記憶されている合致範囲内である雇用側企業だけでなく、入力を受け付けた特徴項目の特徴値が、記憶されている合致範囲内である特徴項目の割合が高い順に一定の割合の雇用側企業まで抽出することを特徴とする請求項９に記載の求人マッチング方法。
【請求項１１】
雇用側企業の求人に関する条件を示す情報と、求人に応募する応募者の求める条件を示す情報とをマッチングするコンピュータで実行することが可能なコンピュータプログラムにおいて、
前記コンピュータを、
雇用側企業の職場における人間関係を含む就労環境の特徴に関する情報を複数の特徴項目として記憶する求人情報記憶手段、
前記複数の特徴項目から一又は複数の特徴項目の選択を受け付ける特徴項目選択受付手段、
選択を受け付けた特徴項目に基づいて、合致する雇用側企業を抽出する抽出手段、及び
抽出された雇用側企業を表示する結果表示手段
として機能させることを特徴とするコンピュータプログラム。
【請求項１２】
前記雇用側企業の職場における人間関係を含む就労環境の特徴に関する情報は、少なくとも子育て率、飲み会の回数、再入社した社員数を含む他の従業員との人間関係構築に関連する情報であることを特徴とする請求項１１に記載のコンピュータプログラム。
【請求項１３】
前記求人情報記憶手段では、特徴項目ごとに特徴値の合致範囲を記憶しておき、
前記コンピュータを、選択を受け付けた一又は複数の特徴項目それぞれについて、特徴値の入力を受け付ける特徴値受付手段として機能させ、
前記抽出手段を、入力を受け付けた特徴項目の特徴値が、すべて記憶されている合致範囲内である雇用側企業を抽出する手段として機能させることを特徴とする請求項１１又は１２に記載のコンピュータプログラム。
【請求項１４】
前記特徴値受付手段を、選択を受け付けた一又は複数の特徴項目のみを表示し、表示された特徴項目それぞれについて、特徴値の入力を受け付ける手段として機能させることを特徴とする請求項１３に記載のコンピュータプログラム。
【請求項１５】
前記抽出手段を、入力を受け付けた特徴項目の特徴値が、すべて記憶されている合致範囲内である雇用側企業だけでなく、入力を受け付けた特徴項目の特徴値が、記憶されている合致範囲内である特徴項目の割合が高い順に一定の割合の雇用側企業まで抽出する手段として機能させることを特徴とする請求項１４に記載のコンピュータプログラム。
【手続補正書】
【提出日】平成30年11月16日(2018.11.16)
【手続補正１】
【補正対象書類名】明細書
【補正対象項目名】００１０
【補正方法】変更
【補正の内容】
【００１０】
上記目的を達成するために第１発明に係る求人マッチングシステムは、雇用側企業の求人に関する条件を示す情報と、求人に応募する応募者の求める条件を示す情報とをマッチングする求人マッチングシステムにおいて、雇用側企業の職場における人間関係を含む就労環境の特徴に関する情報を複数の特徴項目として記憶する求人情報記憶手段と、前記複数の特徴項目から一又は複数の特徴項目の選択を受け付ける特徴項目選択受付手段と、選択を受け付けた特徴項目に基づいて、合致する雇用側企業を抽出する抽出手段と、抽出された雇用側企業を表示する結果表示手段とを備え、合致しない特徴項目が存在する場合、合致しない特徴項目の数が合致する特徴項目の数より少ないときには、前記抽出手段は、合致する特徴項目のみに基づいて雇用側企業を抽出することを特徴とする。
また、第２発明に係る求人マッチングシステムは、第１発明において、前記結果表示手段は、抽出された雇用側企業とともに、合致しない特徴項目を表示することが好ましい。
【手続補正２】
【補正対象書類名】明細書
【補正対象項目名】００１１
【補正方法】変更
【補正の内容】
【００１１】
また、第３発明に係る求人マッチングシステムは、第１又は第２発明において、前記雇用側企業の職場における人間関係を含む就労環境の特徴に関する情報は、少なくとも子育て率、飲み会の回数、再入社した社員数を含む他の従業員との人間関係構築に関連する情報であることが好ましい。
【手続補正３】
【補正対象書類名】明細書
【補正対象項目名】００１２
【補正方法】変更
【補正の内容】
【００１２】
また、第４発明に係る求人マッチングシステムは、第１乃至第３発明のいずれか１つにおいて、前記求人情報記憶手段では、特徴項目ごとに特徴値の合致範囲を記憶しておき、選択を受け付けた一又は複数の特徴項目それぞれについて、特徴値の入力を受け付ける特徴値受付手段を備え、前記抽出手段は、入力を受け付けた特徴項目の特徴値が前記合致範囲に含まれない特徴項目の数が、前記合致範囲に含まれる特徴項目の数より少ないときには、前記合致範囲に含まれる特徴項目のみに基づいて雇用側企業を抽出することが好ましい。
【手続補正４】
【補正対象書類名】明細書
【補正対象項目名】００１３
【補正方法】変更
【補正の内容】
【００１３】
また、第５発明に係る求人マッチングシステムは、第４発明において、前記特徴値受付手段は、選択を受け付けた一又は複数の特徴項目のみを表示し、表示された特徴項目それぞれについて、特徴値の入力を受け付けることが好ましい。
【手続補正５】
【補正対象書類名】明細書
【補正対象項目名】００１４
【補正方法】変更
【補正の内容】
【００１４】
また、第６発明に係る求人マッチングシステムは、第５発明において、前記抽出手段は、入力を受け付けた特徴項目の特徴値が、記憶されている前記合致範囲にすべて含まれる雇用側企業だけでなく、入力を受け付けた特徴項目の特徴値が、記憶されている前記合致範囲に含まれている特徴項目の割合が高い順に一定の割合の雇用側企業まで抽出することが好ましい。
【手続補正６】
【補正対象書類名】明細書
【補正対象項目名】００１５
【補正方法】変更
【補正の内容】
【００１５】
次に、上記目的を達成するために第７発明に係る求人マッチング方法は、雇用側企業の求人に関する条件を示す情報と、求人に応募する応募者の求める条件を示す情報とをマッチングするコンピュータで実行することが可能な求人マッチング方法において、前記コンピュータは、雇用側企業の職場における人間関係を含む就労環境の特徴に関する情報を複数の特徴項目として記憶する第一の工程と、前記複数の特徴項目から一又は複数の特徴項目の選択を受け付ける第二の工程と、選択を受け付けた特徴項目に基づいて、合致する雇用側企業を抽出する第三の工程と、抽出された雇用側企業を表示する第四の工程とを含み、合致しない特徴項目が存在する場合、合致しない特徴項目の数が合致する特徴項目の数より少ないときには、前記第三の工程では、合致する特徴項目のみに基づいて雇用側企業を抽出することを特徴とする。
また、第８発明に係る求人マッチング方法は、第７発明において、前記第四の工程では、抽出された雇用側企業とともに、合致しない特徴項目を表示することが好ましい。
【手続補正７】
【補正対象書類名】明細書
【補正対象項目名】００１６
【補正方法】変更
【補正の内容】
【００１６】
また、第９発明に係る求人マッチング方法は、第７又は第８発明において、前記雇用側企業の職場における人間関係を含む就労環境の特徴に関する情報は、少なくとも子育て率、飲み会の回数、再入社した社員数を含む他の従業員との人間関係構築に関連する情報であることが好ましい。
【手続補正８】
【補正対象書類名】明細書
【補正対象項目名】００１７
【補正方法】変更
【補正の内容】
【００１７】
また、第１０発明に係る求人マッチング方法は、第７乃至第９発明のいずれか１つにおいて、前記第一の工程では、特徴項目ごとに特徴値の合致範囲を記憶し、前記コンピュータは、選択を受け付けた一又は複数の特徴項目それぞれについて、特徴値の入力を受け付ける第五の工程を含み、前記第三の工程では、入力を受け付けた特徴項目の特徴値が前記合致範囲に含まれない特徴項目の数が、前記合致範囲に含まれる特徴項目の数より少ないときには、前記合致範囲に含まれる特徴項目のみに基づいて雇用側企業を抽出することが好ましい。
【手続補正９】
【補正対象書類名】明細書
【補正対象項目名】００１８
【補正方法】変更
【補正の内容】
【００１８】
また、第１１発明に係る求人マッチング方法は、第１０発明において、前記第五の工程は、選択を受け付けた一又は複数の特徴項目のみを表示し、表示された特徴項目それぞれについて、特徴値の入力を受け付けることが好ましい。
【手続補正１０】
【補正対象書類名】明細書
【補正対象項目名】００１９
【補正方法】変更
【補正の内容】
【００１９】
また、第１２発明に係る求人マッチング方法は、第１１発明において、前記第三の工程は、入力を受け付けた特徴項目の特徴値が、記憶されている前記合致範囲にすべて含まれる雇用側企業だけでなく、入力を受け付けた特徴項目の特徴値が、記憶されている前記合致範囲に含まれている特徴項目の割合が高い順に一定の割合の雇用側企業まで抽出することが好ましい。
【手続補正１１】
【補正対象書類名】明細書
【補正対象項目名】００２０
【補正方法】変更
【補正の内容】
【００２０】
次に、上記目的を達成するために第１３発明に係るコンピュータプログラムは、雇用側企業の求人に関する条件を示す情報と、求人に応募する応募者の求める条件を示す情報とをマッチングするコンピュータで実行することが可能なコンピュータプログラムにおいて、前記コンピュータを、雇用側企業の職場における人間関係を含む就労環境の特徴に関する情報を複数の特徴項目として記憶する求人情報記憶手段、前記複数の特徴項目から一又は複数の特徴項目の選択を受け付ける特徴項目選択受付手段、選択を受け付けた特徴項目に基づいて、合致する雇用側企業を抽出する抽出手段、及び抽出された雇用側企業を表示する結果表示手段として機能させ、合致しない特徴項目が存在する場合、合致しない特徴項目の数が合致する特徴項目の数より少ないときには、前記抽出手段を、合致する特徴項目のみに基づいて雇用側企業を抽出する手段として機能させることを特徴とする。
また、第１４発明に係るコンピュータプログラムは、第１３発明において、前記結果表示手段を、抽出された雇用側企業とともに、合致しない特徴項目を表示する手段として機能させることが好ましい。
【手続補正１２】
【補正対象書類名】明細書
【補正対象項目名】００２１
【補正方法】変更
【補正の内容】
【００２１】
また、第１５発明に係るコンピュータプログラムは、第１３又は第１４発明において、前記雇用側企業の職場における人間関係を含む就労環境の特徴に関する情報は、少なくとも子育て率、飲み会の回数、再入社した社員数を含む他の従業員との人間関係構築に関連する情報であることが好ましい。
【手続補正１３】
【補正対象書類名】明細書
【補正対象項目名】００２２
【補正方法】変更
【補正の内容】
【００２２】
また、第１６発明に係るコンピュータプログラムは、第１３乃至第１５発明のいずれか１つにおいて、前記求人情報記憶手段では、特徴項目ごとに特徴値の合致範囲を記憶しておき、前記コンピュータを、選択を受け付けた一又は複数の特徴項目それぞれについて、特徴値の入力を受け付ける特徴値受付手段として機能させ、前記抽出手段を、入力を受け付けた特徴項目の特徴値が前記合致範囲に含まれない特徴項目の数が、前記合致範囲に含まれる特徴項目の数より少ないときには、前記合致範囲に含まれる特徴項目のみに基づいて雇用側企業を抽出する手段として機能させることが好ましい。
【手続補正１４】
【補正対象書類名】明細書
【補正対象項目名】００２３
【補正方法】変更
【補正の内容】
【００２３】
また、第１７発明に係るコンピュータプログラムは、第１６発明において、前記特徴値受付手段を、選択を受け付けた一又は複数の特徴項目のみを表示し、表示された特徴項目それぞれについて、特徴値の入力を受け付ける手段として機能させることが好ましい。
【手続補正１５】
【補正対象書類名】明細書
【補正対象項目名】００２４
【補正方法】変更
【補正の内容】
【００２４】
また、第１８発明に係るコンピュータプログラムは、第１７発明において、前記抽出手段を、入力を受け付けた特徴項目の特徴値が、記憶されている前記合致範囲にすべて含まれる雇用側企業だけでなく、入力を受け付けた特徴項目の特徴値が、記憶されている前記合致範囲に含まれている特徴項目の割合が高い順に一定の割合の雇用側企業まで抽出する手段として機能させることが好ましい。
【手続補正１６】
【補正対象書類名】明細書
【補正対象項目名】００２５
【補正方法】変更
【補正の内容】
【００２５】
第１発明、第７発明及び第１３発明では、雇用側企業の職場における人間関係を含む就労環境の特徴に関する情報を複数の特徴項目として記憶しておき、複数の特徴項目から一又は複数の特徴項目の選択を受け付ける。選択を受け付けた特徴項目に基づいて、合致する雇用側企業を抽出して、抽出された雇用側企業を表示する。合致しない特徴項目が存在する場合、合致しない特徴項目の数が合致する特徴項目の数より少ないときには、合致する特徴項目のみに基づいて雇用側企業を抽出する。これにより、従来は給与や勤務時間、職種等の一般的な労働条件で雇用側企業と応募者とをマッチングしていたのを、実際に就労している環境に直結した特徴項目でマッチングするので、自分が働くときに妥協できない就労環境を維持することが可能な雇用側企業のみが抽出され、就労してからの退職理由の大半を占める周囲の人との価値観のズレを最小限に抑制することができ、早期退職の可能性を低減することが可能となる。また、雇用側企業の職場における人間関係を含む就労環境の特徴に関する情報だけでマッチングした場合であっても抽出される雇用側企業の数を一定数確保することができ、応募者の選択の幅を確保することが可能となる。
第２発明、第８発明及び第１４発明では、抽出された雇用側企業とともに、合致しない特徴項目を表示するので、どの特徴項目が合致していないのかを確認しながら表示されている雇用側企業を選ぶことができ、どうしても妥協できない特徴項目が含まれている雇用側企業を選択するリスクを低減し、早期退職の可能性を低減することが可能となる。
【手続補正１７】
【補正対象書類名】明細書
【補正対象項目名】００２６
【補正方法】変更
【補正の内容】
【００２６】
第３発明、第９発明及び第１５発明では、雇用側企業の職場における人間関係を含む就労環境の特徴に関する情報は、少なくとも子育て率、飲み会の回数、再入社した社員数を含む他の従業員との人間関係構築に関連する情報であるので、就労してからの退職理由の大半を占める周囲の人との価値観のズレを最小限に抑制することができ、早期退職の可能性を低減することが可能となる。
【手続補正１８】
【補正対象書類名】明細書
【補正対象項目名】００２７
【補正方法】変更
【補正の内容】
【００２７】
第４発明、第１０発明及び第１６発明では、特徴項目ごとに特徴値の合致範囲を記憶しておき、選択を受け付けた一又は複数の特徴項目それぞれについて、特徴値の入力を受け付け、入力を受け付けた特徴項目の特徴値が合致範囲に含まれない特徴項目の数が、合致範囲に含まれる特徴項目の数より少ないときには、合致範囲に含まれる特徴項目のみに基づいて雇用側企業を抽出する。これにより、自分が働くときに優先する環境をクリアしている可能性の高い雇用側企業が抽出され、就労してからの退職理由の大半を占める周囲の人との価値観のズレを最小限に抑制することができ、早期退職の可能性を低減することが可能となる。
【手続補正１９】
【補正対象書類名】明細書
【補正対象項目名】００２８
【補正方法】変更
【補正の内容】
【００２８】
第５発明、第１１発明及び第１７発明では、選択を受け付けた一又は複数の特徴項目のみを表示し、表示された特徴項目それぞれについて、特徴値の入力を受け付けることにより、自分が働くときの就労環境の許容範囲を指定することができ、より柔軟に就労先候補となる雇用側企業を抽出することが可能となる。
【手続補正２０】
【補正対象書類名】明細書
【補正対象項目名】００２９
【補正方法】変更
【補正の内容】
【００２９】
第６発明、第１２発明及び第１８発明では、入力を受け付けた特徴項目の特徴値が、記憶されている合致範囲にすべて含まれる雇用側企業だけでなく、入力を受け付けた特徴項目の特徴値が、記憶されている合致範囲に含まれている特徴項目の割合が高い順に一定の割合の雇用側企業まで抽出することにより、自分が働くときの就労環境条件をすべて具備した雇用側企業だけでは抽出される企業数が少ない場合であっても、妥協すれば候補となりうる雇用側企業も含めて抽出することが可能となる。
【手続補正２１】
【補正対象書類名】明細書
【補正対象項目名】００３０
【補正方法】変更
【補正の内容】
【００３０】
本発明によれば、従来は給与や勤務時間、職種等の一般的な労働条件で雇用側企業と応募者とをマッチングしていたのを、実際に就労している環境に直結した特徴項目でマッチングするので、自分が働くときに妥協できない就労環境を維持することが可能な雇用側企業のみが抽出され、就労してからの退職理由の大半を占める周囲の人との価値観のズレを最小限に抑制することができ、早期退職の可能性を低減することが可能となる。また、雇用側企業の職場における人間関係を含む就労環境の特徴に関する情報だけでマッチングした場合であっても抽出される雇用側企業の数を一定数確保することができ、応募者の選択の幅を確保することが可能となる。
【手続補正２２】
【補正対象書類名】特許請求の範囲
【補正対象項目名】全文
【補正方法】変更
【補正の内容】
【特許請求の範囲】
【請求項１】
雇用側企業の求人に関する条件を示す情報と、求人に応募する応募者の求める条件を示す情報とをマッチングする求人マッチングシステムにおいて、
雇用側企業の職場における人間関係を含む就労環境の特徴に関する情報を複数の特徴項目として記憶する求人情報記憶手段と、
前記複数の特徴項目から一又は複数の特徴項目の選択を受け付ける特徴項目選択受付手段と、
選択を受け付けた特徴項目に基づいて、合致する雇用側企業を抽出する抽出手段と、
抽出された雇用側企業を表示する結果表示手段と
を備え、
合致しない特徴項目が存在する場合、合致しない特徴項目の数が合致する特徴項目の数より少ないときには、前記抽出手段は、合致する特徴項目のみに基づいて雇用側企業を抽出することを特徴とする求人マッチングシステム。
【請求項２】
前記結果表示手段は、抽出された雇用側企業とともに、合致しない特徴項目を表示することを特徴とする請求項１に記載の求人マッチングシステム。
【請求項３】
前記雇用側企業の職場における人間関係を含む就労環境の特徴に関する情報は、少なくとも子育て率、飲み会の回数、再入社した社員数を含む他の従業員との人間関係構築に関連する情報であることを特徴とする請求項１又は２に記載の求人マッチングシステム。
【請求項４】
前記求人情報記憶手段では、特徴項目ごとに特徴値の合致範囲を記憶しておき、
選択を受け付けた一又は複数の特徴項目それぞれについて、特徴値の入力を受け付ける特徴値受付手段を備え、
前記抽出手段は、入力を受け付けた特徴項目の特徴値が前記合致範囲に含まれない特徴項目の数が、前記合致範囲に含まれる特徴項目の数より少ないときには、前記合致範囲に含まれる特徴項目のみに基づいて雇用側企業を抽出することを特徴とする請求項１乃至３のいずれか一項に記載の求人マッチングシステム。
【請求項５】
前記特徴値受付手段は、選択を受け付けた一又は複数の特徴項目のみを表示し、表示された特徴項目それぞれについて、特徴値の入力を受け付けることを特徴とする請求項４に記載の求人マッチングシステム。
【請求項６】
前記抽出手段は、入力を受け付けた特徴項目の特徴値が、記憶されている前記合致範囲にすべて含まれる雇用側企業だけでなく、入力を受け付けた特徴項目の特徴値が、記憶されている前記合致範囲に含まれている特徴項目の割合が高い順に一定の割合の雇用側企業まで抽出することを特徴とする請求項５に記載の求人マッチングシステム。
【請求項７】
雇用側企業の求人に関する条件を示す情報と、求人に応募する応募者の求める条件を示す情報とをマッチングするコンピュータで実行することが可能な求人マッチング方法において、
前記コンピュータは、
雇用側企業の職場における人間関係を含む就労環境の特徴に関する情報を複数の特徴項目として記憶する第一の工程と、
前記複数の特徴項目から一又は複数の特徴項目の選択を受け付ける第二の工程と、
選択を受け付けた特徴項目に基づいて、合致する雇用側企業を抽出する第三の工程と、
抽出された雇用側企業を表示する第四の工程と
を含み、
合致しない特徴項目が存在する場合、合致しない特徴項目の数が合致する特徴項目の数より少ないときには、前記第三の工程では、合致する特徴項目のみに基づいて雇用側企業を抽出することを特徴とする求人マッチング方法。
【請求項８】
前記第四の工程では、抽出された雇用側企業とともに、合致しない特徴項目を表示することを特徴とする請求項７に記載の求人マッチング方法。
【請求項９】
前記雇用側企業の職場における人間関係を含む就労環境の特徴に関する情報は、少なくとも子育て率、飲み会の回数、再入社した社員数を含む他の従業員との人間関係構築に関連する情報であることを特徴とする請求項７又は８に記載の求人マッチング方法。
【請求項１０】
前記第一の工程では、特徴項目ごとに特徴値の合致範囲を記憶し、
前記コンピュータは、
選択を受け付けた一又は複数の特徴項目それぞれについて、特徴値の入力を受け付ける第五の工程を含み、
前記第三の工程では、入力を受け付けた特徴項目の特徴値が前記合致範囲に含まれない特徴項目の数が、前記合致範囲に含まれる特徴項目の数より少ないときには、前記合致範囲に含まれる特徴項目のみに基づいて雇用側企業を抽出することを特徴とする請求項７乃至９のいずれか一項に記載の求人マッチング方法。
【請求項１１】
前記第五の工程は、選択を受け付けた一又は複数の特徴項目のみを表示し、表示された特徴項目それぞれについて、特徴値の入力を受け付けることを特徴とする請求項１０に記載の求人マッチング方法。
【請求項１２】
前記第三の工程は、入力を受け付けた特徴項目の特徴値が、記憶されている前記合致範囲にすべて含まれる雇用側企業だけでなく、入力を受け付けた特徴項目の特徴値が、記憶されている前記合致範囲に含まれている特徴項目の割合が高い順に一定の割合の雇用側企業まで抽出することを特徴とする請求項１１に記載の求人マッチング方法。
【請求項１３】
雇用側企業の求人に関する条件を示す情報と、求人に応募する応募者の求める条件を示す情報とをマッチングするコンピュータで実行することが可能なコンピュータプログラムにおいて、
前記コンピュータを、
雇用側企業の職場における人間関係を含む就労環境の特徴に関する情報を複数の特徴項目として記憶する求人情報記憶手段、
前記複数の特徴項目から一又は複数の特徴項目の選択を受け付ける特徴項目選択受付手段、
選択を受け付けた特徴項目に基づいて、合致する雇用側企業を抽出する抽出手段、及び
抽出された雇用側企業を表示する結果表示手段
として機能させ、
合致しない特徴項目が存在する場合、合致しない特徴項目の数が合致する特徴項目の数より少ないときには、前記抽出手段を、合致する特徴項目のみに基づいて雇用側企業を抽出する手段として機能させることを特徴とするコンピュータプログラム。
【請求項１４】
前記結果表示手段を、抽出された雇用側企業とともに、合致しない特徴項目を表示する手段として機能させることを特徴とする請求項１３に記載のコンピュータプログラム。
【請求項１５】
前記雇用側企業の職場における人間関係を含む就労環境の特徴に関する情報は、少なくとも子育て率、飲み会の回数、再入社した社員数を含む他の従業員との人間関係構築に関連する情報であることを特徴とする請求項１３又は１４に記載のコンピュータプログラム。
【請求項１６】
前記求人情報記憶手段では、特徴項目ごとに特徴値の合致範囲を記憶しておき、
前記コンピュータを、選択を受け付けた一又は複数の特徴項目それぞれについて、特徴値の入力を受け付ける特徴値受付手段として機能させ、
前記抽出手段を、入力を受け付けた特徴項目の特徴値が前記合致範囲に含まれない特徴項目の数が、前記合致範囲に含まれる特徴項目の数より少ないときには、前記合致範囲に含まれる特徴項目のみに基づいて雇用側企業を抽出する手段として機能させることを特徴とする請求項１３乃至１５のいずれか一項に記載のコンピュータプログラム。
【請求項１７】
前記特徴値受付手段を、選択を受け付けた一又は複数の特徴項目のみを表示し、表示された特徴項目それぞれについて、特徴値の入力を受け付ける手段として機能させることを特徴とする請求項１６に記載のコンピュータプログラム。
【請求項１８】
前記抽出手段を、入力を受け付けた特徴項目の特徴値が、記憶されている前記合致範囲にすべて含まれる雇用側企業だけでなく、入力を受け付けた特徴項目の特徴値が、記憶されている前記合致範囲に含まれている特徴項目の割合が高い順に一定の割合の雇用側企業まで抽出する手段として機能させることを特徴とする請求項１７に記載のコンピュータプログラム。